(57)【要約】【課題】設置スペース上の問題を改善するとともに、濾過処理だけではなく殺菌処理や温度調整も可能な循環濾過式飼育水槽を提供する。【解決手段】魚介類を飼育する飼育水槽１の水を循環させる循環経路４に、飼育水槽１から流出した水を濾過する濾過装置１０を備えた循環濾過式飼育水槽１００であって、濾過装置１０は、垂直方向に並んで配置された物理濾過装置と生物濾過装置とから構成される。循環経路４に、温度調整装置２０及び紫外線殺菌装置３０を備える。【選択図】図１
0003202879.tif 000002
【実用新案登録請求の範囲】
【請求項１】
魚介類を飼育する飼育水槽の水を循環させる循環経路に、前記飼育水槽から流出した水を濾過する濾過装置を備えた循環濾過式飼育水槽であって、
前記濾過装置は、垂直方向に並んで配置された物理濾過装置と生物濾過装置とから構成されたことを特徴とする循環濾過式飼育水槽。
【請求項２】
前記循環経路に、温度調整装置を備えたことを特徴とする請求項１に記載の循環濾過式飼育水槽。
【請求項３】
前記循環経路に、紫外線殺菌装置を備えたことを特徴とする請求項１又は請求項２に記載の循環濾過式飼育水槽。
【考案の詳細な説明】
【技術分野】
【０００１】
本考案は、魚介類を飼育する飼育水槽の水を循環させながら濾過して再利用する循環濾過式飼育水槽に関するものである。
【背景技術】
【０００２】
従来、魚介類を飼育するために、飼育水槽の水を循環させながら濾過して再利用するようにした循環濾過式飼育水槽が用いられている。例えば、特許文献１には、飼育水槽１の水を浮遊物質除去槽３及び硝化槽４を経由して循環させるようにした循環濾過式養殖装置に関する発明が記載されている。また、特許文献２には、飼育水槽１の水を浮遊物質除去槽３及び生物濾過槽４を経由して循環させるようにした循環濾過式養殖装置に関する発明が記載されている。
【先行技術文献】
【特許文献】
【０００３】
【特許文献１】特開２００３−３８０６１号公報
【特許文献２】特開２００３−９２９５３号公報
【考案の概要】
【考案が解決しようとする課題】
【０００４】
しかしながら、特許文献１や特許文献２に記載された発明のように、浮遊物質除去槽３と硝化槽４（あるいは生物濾過槽４）とを別々に配置すると、設置スペース上の問題が生じる。
【０００５】
また、飼育水槽に供給する水に対しては、濾過処理だけではなく温度調整や殺菌処理も必要である。
【０００６】
本考案は、上記従来の課題を解決するものであり、設置スペース上の問題を改善するとともに、濾過処理だけではなく温度調整や殺菌処理も可能な循環濾過式飼育水槽を提供するものである。
【課題を解決するための手段】
【０００７】
上記課題を解決するため、本考案の循環濾過式飼育水槽は、魚介類を飼育する飼育水槽の水を循環させる循環経路に、前記飼育水槽から流出した水を濾過する濾過装置を備えた循環濾過式飼育水槽であって、前記濾過装置は、垂直方向に並んで配置された物理濾過装置と生物濾過装置とから構成されたことを特徴とする。
【０００８】
また好ましくは、前記循環経路に、温度調整装置を備えたことを特徴とする。
【０００９】
また好ましくは、前記循環経路に、紫外線殺菌装置を備えたことを特徴とする。
【考案の効果】
【００１０】
本考案の循環濾過式飼育水槽は、魚介類を飼育する飼育水槽の水を循環させる循環経路に、飼育水槽から流出した水を濾過する濾過装置を備えている。そして、濾過装置は、垂直方向に並んで配置された物理濾過装置と生物濾過装置とから構成されている。従って、濾過装置全体がコンパクトにまとまり、設置スペース上の問題を改善することができる。
【００１１】
また、循環経路に温度調整装置を備えた場合には、飼育水槽に供給する水に対して濾過処理だけではなく温度調整も行うことができる。
【００１２】
また、循環経路に紫外線殺菌装置を備えた場合には、飼育水槽に供給する水に対して濾過処理だけではなく殺菌処理も行うことができる。
【００１３】
以上、本考案によれば、設置スペース上の問題を改善するとともに、濾過処理だけではなく温度調整や殺菌処理も可能な循環濾過式飼育水槽を提供することができる。
【図面の簡単な説明】
【００１４】
【図１】本考案の実施形態に係る循環濾過式飼育水槽の平面図である。
【図２】循環経路（循環濾過時）の説明図である。
【図３】循環経路（逆洗時）の説明図である。
【図４】循環濾過式飼育水槽の作業用通路の説明図である。
【図５】循環濾過式飼育水槽の作業用通路の説明図である。
【図６】循環濾過式飼育水槽の制御に関する説明図である。
【考案を実施するための形態】
【００１５】
次に、図１乃至図６を参照して、本考案の実施形態に係る循環濾過式飼育水槽について説明する。本考案の循環濾過式飼育水槽は、魚介類を飼育するための飼育水槽である。
【００１６】
図１は、本考案の実施形態に係る循環濾過式飼育水槽１００の平面図である。図１に示すように、循環濾過式飼育水槽１００は、４つの飼育水槽１を備えている。４つの飼育水槽１は、中央に配置された集魚水槽３を囲むように並べて配置されており、各飼育水槽１と集魚水槽３との間には水位調整水槽２が配置されている。水位調整水槽２は、飼育水槽１に接続された排水管の立ち上がりの高さを変化させることにより、飼育水槽１からの排水量を変化させて、飼育水槽１の水位を調整するようになっている。集魚水槽３は、飼育水槽１から魚介類を導き出して取り上げるためのものである。
【００１７】
なお、本実施形態では飼育水槽１の数を４つとしたが、特に限定されるものではない。また、大規模の飼育場においては、例えば４つの飼育水槽１を１ブロックとして、各ブロックの周りに防菌シートを張ってクリーンルームとし、他の飼育水槽から発生する増殖菌が入ってくるのを防御することもできる。
【００１８】
各々の飼育水槽１には、飼育水槽１から水位調整水槽２を経由して流出し、再び飼育水槽１へと流入する循環経路４が形成されている。各々の循環経路４には、循環ポンプ５、濾過装置１０、温度調整装置２０及び紫外線殺菌装置３０が備えられている。そして、循環ポンプ５の圧力により、飼育水槽１の水を循環させるようになっている。
【００１９】
次に、図２を参照して、濾過装置１０、温度調整装置２０及び紫外線殺菌装置３０について説明する。図２は、循環経路（循環濾過時）の説明図である。飼育水槽１から流出した水（Ａ）は、まず濾過装置１０へと導かれる。
【００２０】
濾過装置１０は、物理濾過装置１１と生物濾過装置１２とから構成されている。物理濾過装置１１は、内部に砂やフィルター等の物理濾過材１１ａを備え、水中の浮遊物質等を濾過して除去するものである。また、生物濾過装置１２は、内部にバクテリアを繁殖させた生物濾過材１２ａを備え、循環する水を化学的に濾過するものである。
【００２１】
物理濾過装置１１は、生物濾過装置１２の上に配置されて、両者は一体的に構成されている。このように、物理濾過装置１１と生物濾過装置１２とを垂直方向に並べて配置することにより、水平方向の設置面積が小さくなるので、濾過装置全体をコンパクトにまとめることができる。なお、物理濾過装置１１と生物濾過装置１２とを、上下逆に配置することもできる。
【００２２】
また、本実施形態では、物理濾過装置１１と生物濾過装置１２との間に、有機物除去装置１３を設けている。有機物除去装置１３は、物理濾過装置１１で除去しきれなかった細かな浮遊物質（残餌、魚糞等）を除去するための、より高精度の除去装置である。
【００２３】
飼育水槽１から流出した水（Ａ）は、まず濾過装置１０の上部に位置する物理濾過装置１１に流入する。そして、物理濾過材１１ａで濾過された後、有機物除去装置１３に流入する。次に、有機物除去装置１３を経由した水は、物理濾過装置１１の下部に位置する生物濾過装置１２に流入する。そして、生物濾過材１２ａで濾過された後、濾過装置１０の外へと流出する。なお、有機物除去装置１３は、バルブの開閉により状況に応じて選択的に使用できるようになっており、物理濾過装置１１から流出した水を直接生物濾過装置１２に流入させることもできる。
【００２４】
次に、濾過装置１０から流出した水は、温度調整装置２０へと導かれる。温度調整装置２０は、加温機能と冷却機能を有しており、循環する水を飼育に適した温度に調整することができるようになっている。
【００２５】
次に、温度調整装置２０を経由した水は、紫外線殺菌装置３０へと導かれる。紫外線殺菌装置３０は、循環する水に紫外線を照射して殺菌するものである。紫外線殺菌装置３０には、例えば照射線量照度モニターを設置して、紫外線ランプの照射線量を目視計測できるようにするとよい。また、通過水量を計測する流量計と照射線量設定装置を組み合わせて、指定流量と指定照射線量を自動制御するように構成することもできる。
【００２６】
以上のように、循環経路４に配置された濾過装置１０、温度調整装置２０及び紫外線殺菌装置３０により処理された水が、再び飼育水槽１へと流入する（Ｂ）。
【００２７】
次に、濾過装置１０の逆洗について説明する。図３は、循環経路（逆洗時）の説明図である。濾過装置１０には、逆洗ポンプ６を備えた管路が接続されており、逆洗時には逆洗ポンプ６の圧力により逆洗用水７が、物理濾過装置１１及び生物濾過装置１２にそれぞれ供給されるようになっている（Ｃ）。物理濾過装置１１に供給された逆洗用水は、物理濾過材１１ａを通過して排出される（Ｄ）。同様に、生物濾過装置１２に供給された逆洗用水は、生物濾過材１２ａを通過して排出される（Ｅ）。
【００２８】
使用する逆洗用水７は、紫外線殺菌装置で殺菌処理された水を使用するとよい。また、逆洗を行うタイミングとしては、流量計の計測結果に基づく流量損失から濾過抵抗値を継続的にモニタリングし、予め定めた流量以下になった場合に逆洗を行うようにするとよい。
【００２９】
また、図４及び図５に示すように、循環濾過式飼育水槽１００の上方に、作業用通路４０を設けることが好ましい。作業用通路４０は、４つの飼育水槽１の上方から魚類観察するために、飼育員が移動できるようにしたものであり、３つの通路４１，４２，４３から構成されている。このうち、通路４１と通路４２との間に配置された通路４３は、スライド式になっており、集魚時には邪魔にならないよう端に移動できるようになっている。
【００３０】
図６は、循環濾過式飼育水槽１００の制御に関する説明図である。循環濾過式飼育水槽１００の各構成装置は、制御装置５０により制御されるようになっている。制御装置５０はタッチパネル式とし、各構成装置の制御を容易に行えるようにすることが好ましい。
【００３１】
また、図６に示すように、各飼育水槽１の底掃除のために、撮影装置８と掃除装置９とを組み合わせた水槽底掃除システムを設置することができる。この水槽底掃除システムは、撮影装置８による撮影画像から掃除装置９の位置を把握し、予め撮影画像内に設定された走行経路に沿って掃除装置９を走行させるものであり、例えば実用新案登録第３１９６３６４号公報に開示されている。なお、飼育水槽１は、掃除装置９が走行しやすいような構造とすることが好ましい。
【００３２】
また、撮影装置９により魚類の生態を撮影して記録し、飼育水槽１の状況判断の参考とすることもできる。
【００３３】
本実施形態に係る循環濾過式飼育水槽１００は、魚介類を飼育する飼育水槽１の水を循環させる循環経路４に、飼育水槽１から流出した水を濾過する濾過装置１０を備えている。そして、濾過装置１０は、垂直方向に並んで配置された物理濾過装置１１と生物濾過装置１２とから構成されている。従って、濾過装置全体がコンパクトにまとまり、設置スペース上の問題を改善することができる。
【００３４】
また、循環経路４に温度調整装置２０を備えた場合には、飼育水槽１に供給する水に対して濾過処理だけではなく温度調整も行うことができる。
【００３５】
また、循環経路４に紫外線殺菌装置３０を備えた場合には、飼育水槽１に供給する水に対して濾過処理だけではなく殺菌処理も行うことができる。
【００３６】
以上、本実施形態に係る循環濾過式飼育水槽１００によれば、設置スペース上の問題を改善するとともに、濾過処理だけではなく温度調整や殺菌処理も可能である。
【符号の説明】
【００３７】
１  飼育水槽
２  水位調整水槽
３  集魚水槽
４  循環経路
５  循環ポンプ
６  逆洗ポンプ
７  逆洗用水
８  撮影装置
９  掃除装置
１０  濾過装置
１１  物理濾過装置
１２  生物濾過装置
１３  有機物除去装置
２０  温度調整装置
３０  紫外線殺菌装置
４０  作業用通路
４１  通路
４２  通路
４３  通路
５０  制御装置
１００  循環濾過式飼育水槽
【図１】
0003202879.tif 000003
【図２】
0003202879.tif 000004
【図３】
0003202879.tif 000005
【図４】
0003202879.tif 000006
【図５】
0003202879.tif 000007
【図６】
0003202879.tif 000008